(57)【要約】【課題】地震による揺れのエネルギーをしなやかに吸収することができ、しかも、耐久面での信頼性に優れると共に温度依存性の問題もなく、加えて、安価に提供することができる仕口耐震補強金物及び耐震軸組構造を提供する。【解決手段】金物１が、仕口における各軸材１２，１３に固着状態に取り付けられるアングル形の鋼板２と、非ループの方形環状の鋼棒材３とを備え、鋼棒材３の各端部直線棒部１１，１１がそれぞれアングル形鋼板２の各プレート部４，４の内面部に沿わされて溶接Ｗで接合一体化され、地震による揺れのエネルギーを、前記鋼板２と前記鋼棒材３とがそれらに備えられた各屈曲部５，８，９，８において曲げ降伏をすることにより吸収するようになされている。【選択図】      図１
2008184883.tif 000002
【特許請求の範囲】
【請求項１】
直角に屈曲され、該屈曲部を挟む一方のプレート部を仕口の一方の軸材に取り付けられる取付け部とし、もう一方のプレート部を仕口のもう一方の軸材に取り付られる取付け部としたアングル形の鋼板と、
長手方向の中間部３箇所において内向きに直角に屈曲されて２つの中間直線棒部と２つの端部直線棒部とが形成されると共に、各端部直線棒部がそれぞれ前記アングル形鋼板の各プレート部の内面部に沿わされて溶接で接合一体化された非ループの方形環状の鋼棒材と
が備えられ、地震による揺れのエネルギーを、前記鋼板と前記鋼棒材とがそれらに備えられた前記各屈曲部において曲げ降伏をすることにより吸収するようになされていることを特徴とする仕口耐震補強金物。
【請求項２】
請求項１に記載の仕口耐震補強金物のアングル形鋼板の一方のプレート部が軸組構造の仕口の一方の軸材に取り付けられると共に、もう一方のプレートが同仕口のもう一方の軸材に取り付けられ、地震による揺れのエネルギーを、前記鋼板と前記鋼棒材とがそれらに備えられた前記各屈曲部において曲げ降伏をすることにより吸収するようになされていることを特徴とする耐震軸組構造。
【発明の詳細な説明】
【技術分野】
【０００１】
本発明は、仕口耐震補強金物及び耐震軸組構造に関する。
【背景技術】
【０００２】
例えば木造軸組構造の建物に用いられる仕口耐震補強金物として、従来より、種々のものが提供されているが、仕口を金物によってあまり固くしてしまうと柱や梁を傷めることから、粘弾性体や低降伏点鋼などを用い、これらに地震による揺れのエネルギーをしなやかに吸収させるようにしたものが提供されている。
【特許文献１】特開２００５−２２０６１４号公報
【発明の開示】
【発明が解決しようとする課題】
【０００３】
しかしながら、粘弾性体を用いたものは、粘弾性体と鋼板との接着部が耐久面で信頼性に欠けると共に、温度依存性に関する問題もあり、また、低降伏点鋼を用いたものは、高価で、金物のコストを上昇させてしまうという問題がある。
【０００４】
本発明は、上記のような問題点に鑑み、地震による揺れのエネルギーをしなやかに吸収することができ、しかも、耐久面での信頼性に優れると共に温度依存性の問題もなく、加えて、安価に提供することができる仕口耐震補強金物及び耐震軸組構造を提供することを課題とする。
【課題を解決するための手段】
【０００５】
上記の課題は、直角に屈曲され、該屈曲部を挟む一方のプレート部を仕口の一方の軸材に取り付けられる取付け部とし、もう一方のプレート部を仕口のもう一方の軸材に取り付られる取付け部としたアングル形の鋼板と、
長手方向の中間部３箇所において内向きに直角に屈曲されて２つの中間直線棒部と２つの端部直線棒部とが形成されると共に、各端部直線棒部がそれぞれ前記アングル形鋼板の各プレート部の内面部に沿わされて溶接で接合一体化された非ループの方形環状の鋼棒材と
が備えられ、地震による揺れのエネルギーを、前記鋼板と前記鋼棒材とがそれらに備えられた前記各屈曲部において曲げ降伏をすることにより吸収するようになされていることを特徴とする仕口耐震補強金物によって解決される。
【０００６】
この仕口耐震補強金物では、アングル形の鋼板と非ループの方形環状の鋼棒材とに各屈曲部において曲げ降伏をさせて地震による揺れのエネルギーを吸収するようになされているので、地震による揺れのエネルギーをしなやかに吸収することができる。
【０００７】
しかも、アングル形の鋼板と非ループの方形環状の鋼棒材とは溶接で接合一体化され、アングル形の鋼板の各プレート部を仕口における各軸材への取付け部とした構造のものであるので、耐久面での信頼性を高いものにすることができると共に、粘弾性体を用いる場合のような温度依存性の問題もない。
【０００８】
加えて、金物の製作は、鋼板と鋼棒とを用い、それらを屈曲加工して、溶接で接合一体化するだけでよいので、製作コストを低く抑えることができて、金物を安価に提供することができる。
【０００９】
また、上記の仕口耐震補強金物のアングル形鋼板の一方のプレート部が軸組構造の仕口の一方の軸材に取り付けられると共に、もう一方のプレートが同仕口のもう一方の軸材に取り付けられ、地震による揺れのエネルギーを、前記鋼板と前記鋼棒材とがそれらに備えられた前記各屈曲部において曲げ降伏をすることにより吸収するようになされていることを特徴とする耐震軸組構造によっても同様に解決される。
【発明の効果】
【００１０】
本発明の仕口耐震補強金物は、以上のとおりのものであるから、地震による揺れのエネルギーをしなやかに吸収することができ、しかも、耐久面での信頼性に優れると共に温度依存性の問題もなく、加えて、安価に提供することができる。
【発明を実施するための最良の形態】
【００１１】
次に、本発明の実施最良形態を図面に基づいて説明する。
【００１２】
図１に示す実施形態の仕口耐震補強金物１は、住宅等の木造軸組構造の仕口に用いられるもので、２は鋼板、３は鋼棒材である。
【００１３】
鋼板２は、厚さ寸法が例えば６ｍｍのものからなっていて、直角に屈曲加工され、該屈曲部５を挟む一方のプレート部４を仕口の一方の軸材に取り付けられる取付け部とし、もう一方のプレート部４を仕口のもう一方の軸材に取り付られる取付け部とし、各プレート部４，４の幅方向の中央部を挟む両側には、木ビスを通す複数の孔６…が二列同一位相配置で列設され、各プレート部４，４が屈曲部５ないしはその近傍部分を除く領域部分において各軸材１２，１３に、図２（ロ）に示すように、木ビス７…で固着状態に一体化されるようになされている。
【００１４】
鋼棒材３は、例えば直径１６ｍｍの丸鋼を、その長手方向の中間部三箇所８，９，８において内向きに直角に屈曲加工することにより、２つの中間直線棒部１０，１０と２つの端部直線棒部１１，１１とを形成した、非ループの方形環状のものからなっている。
【００１５】
そして、鋼棒材３の各端部直線棒部１１，１１がそれぞれ、アングル形鋼板２の各プレート部４，４の内面部にその幅方向の中央部、即ちビス孔の列間において沿わされ、屈曲部８，８ないしはその近傍部分を除く全長にわたってアングル形鋼板２の各プレート部４，４に線状溶接Ｗされてアングル形鋼板の各プレート部４，４と接合一体化され、仕口耐震補強金物１を構成している。
【００１６】
上記の金物１は、図２（イ）（ロ）に示すように、木柱１２，１２、木梁１３，１３の仕口において、鋼板２の一方のプレート部４が柱１２の側面部に木ビス７…で固着状態に取り付けられ、もう一方のプレート部４が梁１３の上面部又は下面部に木ビス７…で固着状態に取り付けられて、木造軸組構造を耐震補強する。
【００１７】
上記の仕口耐震補強金物１を取り付けて耐震補強した木造軸組構造では、地震時に図２（イ）に示すような水平方向の揺れを生じると、仕口耐震補強金物１は、アングル形の鋼板２と非ループの方形環状の鋼棒材３とが各屈曲部５，８，９，８において曲げ降伏をして柱１２…や梁１３…を痛めることなく揺れのエネルギーをしなやかに吸収し、建物の倒壊を阻止するように作用する。
【００１８】
とりわけ、上記の仕口耐震補強金物１では、アングル形鋼板２の各プレート部４，４が、屈曲部５ないしはその近傍部分を除く領域部分において各軸材１２，１３に一体化状態に接合され、また、非ループの方形環状の鋼棒材３の各端部直線棒部１１，１１が屈曲部８，８ないしはその近傍部分を除く全長にわたってアングル形鋼板２の各プレート部４，４に一体化状態に接合されているので、曲げ降伏を各屈曲部５，８，９，８において行わせやすくすることができる。
【００１９】
そして、アングル形鋼板２と非ループ方形環状鋼棒材３とは溶接で接合一体化され、アングル形鋼板２の各プレート部４を仕口における各軸材への取付け部としている構造であるので、耐久面での信頼性が非常に高いと共に、粘弾性体を用いる場合のような温度依存性の問題もない。
【００２０】
加えて、金物１の製作は、鋼板と鋼棒とを用い、それらを屈曲加工して、溶接Ｗ…で接合一体化するだけでよいので、製作コストを低く抑えることができて、金物１を安価に提供することができる。
【００２１】
以上に、本発明の実施形態を示したが、本発明はこれに限られるものではなく、発明思想を逸脱しない範囲で各種の変更が可能である。例えば、上記の実施形態では、仕口耐震補強金物を木造軸組構造に用いた場合を示したが、軽量鉄骨等を用いた鉄骨軸組構造における仕口に用いられてもよく、また、アングル方鋼板の各プレート部４，４と軸組構造の軸材との接合は、軸材が金属からなる場合は、ビスやボルトなどのネジ式結合で行われてもよいし、溶接で行われてもよい。
【００２２】
また、上記の実施形態では、鋼棒材３として、丸鋼を用いた場合を示したが、鉄筋用の鋼棒など、各種鋼棒を用いて製作されたものであってよい。また、鋼板や鋼棒材の寸法についても具体的な制限はない。
【図面の簡単な説明】
【００２３】
【図１】実施形態の仕口耐震補強金物を示すもので、図（イ）は正面図、図（ロ）は右側面図である。
【図２】図（イ）は軸組構造の仕口への取付け状態の一例を示す正面図、図（ロ）は同取付け状態の金物の拡大正面図である。
【符号の説明】
【００２４】
１…仕口耐震補強金物
２…アングル形鋼板
３…非ループの方形環状の鋼棒材
４…プレート部
５…屈曲部
８，９…屈曲部
１０…中間直線棒部
１１…端部直線棒部
１２…柱（軸材）
１３…梁（軸材）
Ｗ…溶接
【図１】
2008184883.tif 000003
【図２】
2008184883.tif 000004